【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
（Ｓｒ，Ｍ）２ＳｉＯ４−ｘＮｙ：Ｅｕの組成式で表される無機化合物を備え、前記Ｍは金属元素であり、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素を含むことを特徴とする赤色蛍光体。
【請求項２】
青色または紫外線波長領域を励起源として６００ｎｍ〜７００ｎｍの波長帯域の発光ピークを有することを特徴とする請求項１に記載の赤色蛍光体。
【請求項３】
前記ｘは、０．１５≦ｘ≦３の条件を満たすことを特徴とする請求項１または２に記載の赤色蛍光体。
【請求項４】
前記組成式においてＳｉの一部は、Ｂ、Ａｌ、Ｇａ、Ｉｎ、Ｔｉ、Ｚｒ、Ｇｆ、Ｓｎ及びＰｂで構成されたグループから選択された少なくとも１種の元素に置換されることを特徴とする請求項１乃至３の何れか１項に記載の赤色蛍光体。
【請求項５】
前記赤色蛍光体は、Ｍｎをさらに含むことを特徴とする請求項１乃至４の何れか１項に記載の赤色蛍光体。
【請求項６】
前記無機化合物と異なる結晶相の混合物をさらに含み、前記無機化合物の含有量が５０質量％以上であることを特徴とする請求項１乃至５の何れか１項に記載の赤色蛍光体。
【請求項７】
前記赤色蛍光体の結晶構造は、斜方晶系であることを特徴とする請求項１乃至６の何れか１項に記載の赤色蛍光体。
【請求項８】
Ｓｒ−含有化合物及びＭ−含有化合物のうち少なくとも１つの化合物、Ｅｕ−含有化合物、Ｓｉ−含有酸化物及びＳｉ−含有窒化物を含む原料物質を混合して混合物を作成するステップと、
前記混合物を焼成して、（Ｓｒ，Ｍ）２ＳｉＯ４−ｘＮｙ：Ｅｕの組成式で表される無機化合物を得るステップと、を含み、前記Ｍは、Ｍｇ、Ｇａ、Ｂａ、Ｌｉ、Ｎａ、Ｋ、Ｒｂ及びＣｓで構成されるグループから選択された少なくとも１種の元素を含み、０＜ｘ＜４、ｙ＝２ｘ／３であることを特徴とする赤色蛍光体の製造方法。
【請求項９】
前記原料物質を混合するステップは、マンガン炭酸塩をさらに混合することを特徴とする請求項８に記載の赤色蛍光体の製造方法。
【請求項１０】
前記原料物質を混合するステップは、Ｂ、Ａｌ、Ｇａ、Ｉｎ、Ｔｉ、Ｚｒ、Ｇｆ、Ｓｎ及びＰｂで構成されたグループから選択された少なくとも１種の元素の化合物をさらに混合することを特徴とする請求項８または９に記載の赤色蛍光体の製造方法。
【請求項１１】
励起光を放出する発光素子と、
前記励起光を吸収して可視光を放出する波長変換部と、を含み、
前記波長変換部は、（Ｓｒ，Ｍ）２ＳｉＯ４−ｘＮｙ：Ｅｕの組成式で表される無機化合物を備える赤色蛍光体を少なくとも含み、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素であることを特徴とする発光素子パッケージ。
【請求項１２】
前記発光素子が青色発光ダイオードであって、緑色蛍光体または黄色蛍光体をさらに含み、前記発光素子パッケージの最終出力光は白色光であることを特徴とする請求項１１に記載の発光素子パッケージ。
【請求項１３】
基板と、
前記基板上に実装された複数の光源と、
前記複数の光源の上部に配置され、前記複数の光源から入射された光を均一に拡散させる拡散シートと、を含み、
前記複数の光源は、励起光を放出する発光素子と、前記励起光を吸収して可視光を放出する波長変換部と、からなり、前記波長変換部は、（Ｓｒ，Ｍ）２ＳｉＯ４−ｘＮｙ：Ｅｕの組成式で表される無機化合物を備える赤色蛍光体を少なくとも含み、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素を含むことを特徴とする照明装置。
【手続補正２】
【補正対象書類名】明細書
【補正対象項目名】発明の名称
【補正方法】変更
【補正の内容】
【発明の名称】赤色蛍光体、赤色蛍光体の製造方法、発光素子パッケージ及び照明装置
【手続補正３】
【補正対象書類名】明細書
【補正対象項目名】０００１
【補正方法】変更
【補正の内容】
【０００１】
本発明は赤色蛍光体に関し、特に、高い発光特性と、優れた熱的・化学的安定性を有する長波長の赤色光を発光することができる赤色蛍光体、その製造方法、これを用いた発光素子パッケージ及び照明装置に関する。
【手続補正４】
【補正対象書類名】明細書
【補正対象項目名】０００４
【補正方法】変更
【補正の内容】
【０００４】
また、他の目的は、青色及び紫外線波長領域を励起源として赤色光を発光する赤色蛍光体を含み自然光に近い演色性に優れた白色光を放出することができる発光素子パッケージ及び照明装置を提供することにある。
【手続補正５】
【補正対象書類名】明細書
【補正対象項目名】０００５
【補正方法】変更
【補正の内容】
【０００５】
本発明による一実施形態は、（Ｓｒ，Ｍ）２ＳｉＯ４−ｘＮｙ：Ｅｕの組成式で表される無機化合物を備え、上記のＭは金属元素であり、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素を含むことを特徴とする赤色蛍光体を提供する。
【手続補正６】
【補正対象書類名】明細書
【補正対象項目名】０００６
【補正方法】変更
【補正の内容】
【０００６】
この場合、上記の赤色蛍光体は、青色または紫外線波長領域を励起源として約６００ｎｍ〜７００ｎｍの波長帯域の発光ピークを有することができる。また、上記のｘは、０．１５≦ｘ≦３の条件を満たすことができる。
【手続補正７】
【補正対象書類名】明細書
【補正対象項目名】０００７
【補正方法】変更
【補正の内容】
【０００７】
また、上記の組成式においてＳｉの一部は、Ｂ、Ａｌ、Ｇａ、Ｉｎ、Ｔｉ、Ｚｒ、Ｇｆ、Ｓｎ及びＰｂで構成されたグループから選択された少なくとも１種の元素に置換することができる。
【手続補正８】
【補正対象書類名】明細書
【補正対象項目名】０００９
【補正方法】変更
【補正の内容】
【０００９】
一方、他の実施形態は、Ｓｒ−含有化合物及びＭ−含有化合物のうち少なくとも１つの化合物、Ｅｕ−含有化合物、Ｓｉ−含有酸化物及びＳｉ−含有窒化物を含む原料物質を混合するステップと、上記の混合物を焼成して、（Ｓｒ，Ｍ）２ＳｉＯ４−ｘＮｙ：Ｅｕの組成式で表される無機化合物を得るステップと、を含み、上記のＭは、Ｍｇ、Ｇａ、Ｂａ、Ｌｉ、Ｎａ、Ｋ、Ｒｂ及びＣｓで構成されるグループから選択された少なくとも１種の元素を含み、０＜ｘ＜４、ｙ＝２ｘ／３であることを特徴とする赤色蛍光体の製造方法を提供する。
【手続補正９】
【補正対象書類名】明細書
【補正対象項目名】００１０
【補正方法】変更
【補正の内容】
【００１０】
この場合、上記の原料物質を混合するステップは、上記のマンガン炭酸塩をさらに混合することができ、また、上記の原料物質を混合するステップは、Ｂ、Ａｌ、Ｇａ、Ｉｎ、Ｔｉ、Ｚｒ、Ｇｆ、Ｓｎ及びＰｂで構成されたグループから選択された少なくとも１種の元素の化合物をさらに混合することができる。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
一方、さらに他の実施形態は、励起光を放出する発光素子と、上記の励起光を吸収して可視光を放出する波長変換部と、を含み、上記の波長変換部は、（Ｓｒ，Ｍ）２ＳｉＯ４−ｘＮｙ：Ｅｕの組成式で表される無機化合物を備える赤色蛍光体を少なくとも含み、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素であることを特徴とする発光素子パッケージを提供する。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
また、上記の発光素子が青色発光ダイオードであって、緑色蛍光体または黄色蛍光体をさらに含み、上記の発光素子パッケージの最終出力光は白色光であることを特徴とする。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】変更
【補正の内容】
【００２０】
一方、さらに他の実施形態は、基板と、上記の基板上に実装された複数の光源と、上記の複数の光源の上部に配置され、上記の光源から入射された光を均一に拡散させる拡散シートと、を含み、上記の光源は、励起光を放出する発光素子と、上記の励起光を吸収して可視光を放出する波長変換部と、からなり、上記の波長変換部は、（Ｓｒ，Ｍ）２ＳｉＯ４−ｘＮｙ：Ｅｕの組成式で表される無機化合物を備える赤色蛍光体を少なくとも含み、０＜ｘ＜４、ｙ＝２ｘ／３であり、前記Ｍは、Ｍｇ、Ｇａ、Ｂａ、Ｌｉ、Ｎａ、Ｋ、Ｒｂ及びＣｓで構成されるグループから選択された少なくとも１種の元素を含むことを特徴とする照明装置を提供する。
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】